(57)【要約】【課題】短時間で膨張・展開するための気密性及び強度を維持しながら、内圧を逃がすことができるエアバッグを提供する。【解決手段】気体の流入により膨張する袋部１１を備えたエアバッグ１０であって、袋部１１は、２層の織物層１２（１２ａ及び１２ｂ）が、互いに離間可能に重ねられているとともに、その周囲を閉部１３により囲まれており、袋部１１の織物層１２では、閉部１３から所定距離だけ離れた位置の離隔領域１４の織り組織が、その周囲１５の織り組織よりも、通気度が高くなる織り組織とされている。【選択図】図８
2014113989.tif 000002
【特許請求の範囲】
【請求項１】
気体の流入により膨張する袋部を備えたエアバッグであって、
前記袋部は、２層の織物層が、互いに離間可能に重ねられているとともに、その周囲を閉部により囲まれており、
前記袋部の前記織物層では、前記閉部から所定距離だけ離れた位置の離隔領域の織り組織が、その周囲の織り組織よりも、通気度が高くなる織り組織とされていることを特徴とするエアバッグ。
【請求項２】
本エアバッグは、袋織によって製織されており、
前記袋部及び前記閉部は、共通する経糸及び緯糸を用いて一体に織られている請求項１に記載のエアバッグ。
【請求項３】
本エアバッグは、ロール状に巻かれた状態で車両に設置され、その巻き始めに近い位置に前記離隔領域が設けられる請求項１又は２に記載のエアバッグ。
【請求項４】
本エアバックは、ジャバラ状に折り畳まれた状態で車両に設置され、気体流入口から離れた先端側のヒダに前記離隔領域が設けられている請求項１又は２に記載のエアバック。
【請求項５】
前記離隔領域の外周は、角のない曲線により形成されている請求項１乃至４のうちのいずれか１項に記載のエアバッグ。
【請求項６】
カーテンシールドエアバッグである請求項１乃至５のうちのいずれか１項に記載のエアバッグ。
【発明の詳細な説明】
【技術分野】
【０００１】
本発明は、エアバッグに関し、更に詳しくは、膨張して保護対象への衝撃を緩和するためのエアバッグに関する。
【背景技術】
【０００２】
近年、エアバッグは様々な用途に用いられている。例えば、車両に備え付けられ、車両の衝突時に展開することにより、乗員を保護する目的で利用されている。また、救命ジャケット、救命ボート、マット、ホームエレベーターでも利用されている。
このようなエアバッグでは、膨張された袋部を衝撃吸収に利用するために、袋部を短時間に膨張させる必要があり、高い圧力で気体を流入させている。このため、袋部の端縁には強度と気密性とが必要とされる。この気密性を高めるために、袋部の端縁の組織を工夫したエアバッグとして下記特許文献１が知られている。
【先行技術文献】
【特許文献】
【０００３】
【特許文献１】特開２００３−２６７１７６号公報
【発明の概要】
【発明が解決しようとする課題】
【０００４】
これに対して、衝突時に瞬時に、膨張・展開できる気密性及び強度を有しながら、必要に応じて展開時及び／又は展開後に内圧を逃がすことができる特性が求められつつある。即ち、短時間で膨張・展開するための気密性及び強度を維持しながら、エアバッグが保護対象と衝突する際の衝撃を緩和できる内圧制御性が求められている。
本発明は上記実情に鑑みてなされたものであり、短時間で膨張・展開するための気密性及び強度を維持しながら、内圧を逃がすことができるエアバッグを提供することを目的とする。
【課題を解決するための手段】
【０００５】
上記問題点を解決するために、請求項１に記載のエアバッグは、気体の流入により膨張する袋部を備えたエアバッグであって、
前記袋部は、２層の織物層が、互いに離間可能に重ねられているとともに、その周囲を閉部により囲まれており、
前記袋部の前記織物層では、前記閉部から所定距離だけ離れた位置の離隔領域の織り組織が、その領域の織り組織よりも、通気度が高くなる織り組織とされていることを要旨とする。
【０００６】
請求項２に記載のエアバッグは、請求項１に記載のエアバッグにおいて、本エアバッグは、袋織によって製織されており、
前記袋部及び前記閉部は、共通する経糸及び緯糸を用いて一体に織られていることを要旨とする。
【０００７】
請求項３に記載のエアバッグは、請求項１又は２に記載のエアバッグにおいて、本エアバッグは、ロール状に巻かれた状態で車両に設置され、その巻き始めに近い位置に前記離隔領域が設けられることを要旨とする。
【０００８】
請求項４に記載のエアバッグは、請求項１又は２に記載のエアバッグにおいて、本エアバックは、ジャバラ状に折り畳まれた状態で車両に設置され、気体流入口から離れた先端側のヒダに前記離隔領域が設けられていることを要旨とする。
【０００９】
請求項５に記載のエアバッグは、請求項１乃至４のうちのいずれかに記載のエアバッグにおいて、前記離隔領域の外周は、角のない曲線により形成されていることを要旨とする。
【００１０】
請求項６に記載のエアバッグは、請求項１乃至５のうちのいずれかに記載のエアバッグがカーテンシールドエアバッグであることを要旨とする。
【発明の効果】
【００１１】
本発明のエアバッグによれば、短時間で膨張して展開するための気密性及び強度を維持しながら、通気度が高くなる織り組織とされている離隔領域から内圧を逃がすことができる。これにより、エアバッグが保護対象と衝突する際の衝撃を緩和できる。
【００１２】
エアバッグが、袋織によって製織されており、袋部及び閉部が、共通する経糸及び緯糸を用いて一体に織られている場合には、２枚の生地を重ねて縫製したエアバッグに比べて折り畳んだ際の体積を小さくできる。また、部品点数を少なくできるからコスト的に有利である。
【００１３】
エアバッグがロール状に巻かれた状態で車両に設置され、その巻き始めに近い位置に通気度が高くされた離隔領域が設けられる場合には、以下の作用効果を奏する。即ち、ロール状に巻かれた状態で車両に設置されるエアバッグは、まず、巻き終わりの部分が先に膨張し、徐々に巻き始めの部分が膨張するように展開していく。このエアバックでは、巻き終わりの部分が膨張する展開の初期段階では、巻き始めに近い位置は、巻かれた未展開の状態となっている。従って、通気度が高くされている離隔領域も未展開の状態であるから、ここからは気体が漏れにくい。よって、初期段階では、展開速度を保つことができる。そして、巻き始めに近い位置が展開される際には、通気度が高くなる織り組織とされている離隔領域から内圧を逃がすことができる。このように、エアバッグが保護対象と衝突する際の衝撃を緩和しつつ、展開速度も保つことができる。
【００１４】
エアバッグがジャバラ状に折り畳まれた状態で車両に設置され、気体流入口から離れた先端側のヒダに通気度が高くされた離隔領域が設けられる場合には、以下の作用効果を奏する。即ち、ジャバラ状に折り畳まれた状態で車両に設置されるエアバッグは、まず、気体流入口側のヒダが先に膨張し、徐々に気体流入口から離れたヒダ、即ち、先端側のヒダが膨張するように展開していく。このエアバックでは、気体流入口側のヒダが膨張する展開の初期段階では、先端側のヒダは折り畳まれた未展開の状態となっている。従って、通気度が高くされている離隔領域も未展開の状態であるから、ここからは気体が漏れにくい。よって、初期段階では、展開速度を保つことができる。そして、先端側のヒダが展開される際には、離隔領域が形成されたヒダも展開されて、この離隔領域から内圧を逃がすことができる。このように、エアバッグが保護対象と衝突する際の衝撃を緩和しつつ、展開速度も保つことができる。
【００１５】
通気度が高くされた離隔領域の外周が、角のない曲線により形成されている場合には、以下の作用効果を奏する。離隔領域の外周が、角のある形態であると、この角部に過度の応力が集中するおそれがある。この発明では、離隔領域の外周が、角のない曲線により形成されているので、応力集中が緩和される。
【００１６】
カーテンシールドエアバッグの場合に、本発明の構成を採用すると、エアバッグと側頭部との衝撃を緩和することができ、効果的である。
【図面の簡単な説明】
【００１７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。
【図１】本エアバッグの組織の一例を示す説明図である。
【図２】本エアバッグの組織の他例を示す説明図である。
【図３】本エアバッグの断面の一例を示す説明図である。
【図４】本エアバッグの断面の他例を示す説明図である。
【図５】本エアバッグの断面の他例を示す説明図である。
【図６】本エアバッグの一例における断面及び組織を示す説明図である。
【図７】本エアバッグの他例における断面及び組織を示す説明図である。
【図８】本エアバッグの一例の平面形態を示す説明図である。
【図９】本エアバッグがロール状に巻かれた状態である場合における離隔領域の作用を説明する説明図である。
【図１０】本エアバッグがジャバラ状に折り畳まれた状態である場合における離隔領域の作用を説明する説明図である。
【図１１】実施例で用いたエアバッグの平面形態を示す説明図である。
【図１２】実施例で用いたエアバッグの平面形態を示す説明図である。
【図１３】実施例及び比較例の各エアバッグの内圧と気体リーク量との相関を示すグラフである。
【発明を実施するための形態】
【００１８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１９】
本発明のエアバッグ（１０）は、気体の流入により膨張する袋部（１１）を備えたエアバッグである。この袋部（１１）は、２層の織物層（１２、１２ａ及び１２ｂ）が、互いに離間可能に重ねられているとともに、その周囲を閉部（１３）により囲まれている。
更に、袋部（１１）の織物層（１２）では、閉部（１３）から所定距離だけ離れた位置の離隔領域（１４）の織り組織（以下、単に「織組織」という）が、その周囲（１５）の織組織よりも、通気度が高くなる織組織とされている。
【００２０】
即ち、本発明のエアバッグ（１０）は、閉部（１３）から所定距離だけ離れた位置に、その周囲（１５）により通気度が高くなるように織られた離間領域（１４）を有する。この離間領域（１４）を有することにより、袋部（１１）を膨張させながら、流入された気体の一部を袋部（１１）外へリークできる。これにより、エアバッグ（１０）の内圧を下げることができる。更に、離間領域（１４）が、閉部（１３）から所定距離だけ離れて配置されていることにより、離間領域（１４）が閉部（１３）に隣接して配置される場合に比べてリーク量を軽減できる。
【００２１】
離間領域（１４）は、閉部（１３）から離れて配置されていればよいが、通常、少なくとも５ｍｍ以上離間されている。閉部（１３）から５ｍｍ以上離間して離間領域（１４）を配置することで、閉部（１３）近傍から気体がリークしようとすることによる織糸の目開きすることを抑制して、リーク量を軽減できる。この距離は５〜２００ｍｍが好ましく、５〜１００ｍｍがより好ましい。また、通常、上記の離間距離は織糸の本数にして１５本以上である。
【００２２】
離間領域（１４）は、その周囲（１５）に比べて通気度が高くなるように織られていればよい。即ち、離間領域（１４）を構成する織組織は、その周囲（１５）の織組織よりも粗い織組織であればよい。離間領域（１４）における具体的な織組織は特に限定されないが、例えば、平織り、綾織り、朱子織り、及びこれらの組合せによる織組織などを採用できる。ここで、織組織Ｂが織組織Ａよりも通気度が高く織られているとは、例えば、下記〈１〉〜〈３〉の態様が例示される。
【００２３】
〈１〉織組織Ａが１／１平織組織であって、織組織Ｂが１／１平織組織以外の織組織である場合。具体的には、織組織Ｂが、２／２平織組織（図１参照）、３／３平織組織（図２参照）、４／４平織組織、２／１綾織組織、２／２綾織組織、２／３綾織組織、３／３綾織組織、３／４綾織組織、４／４綾織組織等の組織である場合が挙げられる。
【００２４】
〈２〉織組織Ａが２／１綾織組織であって、織組織Ｂが、１／１平織組織及び２／１綾織組織以外の織組織である場合。具体的には、織組織Ｂが、２／２平織組織、３／３平織組織、４／４平織組織、２／２綾織組織、２／３綾織組織、３／３綾織組織、３／４綾織組織、４／４綾織組織等の織組織である場合が挙げられる。
【００２５】
〈３〉織組織Ａが２／２平織組織であって、織組織Ｂが、１／１平織組織、２／１綾織組織、２／２綾織組織、及び２／２平織組織以外の織組織である場合。具体的には、織組織Ｂが、３／３平織組織、４／４平織組織、２／３綾織組織、３／３綾織組織、３／４綾織組織、４／４綾織組織等の織組織である場合が挙げられる。
【００２６】
本エアバッグ（１０）では、周囲（１５）の織組織が１／１組織（１／１平織組織）である場合に、離間領域（１４）の織組織として２／２組織を選択できる。この２／２組織としては、２／２平織組織及び２／２綾織組織のうちの少なくとも一方を選択できる。なかでも、特に２／２平織組織を選択できる（図１参照）。
【００２７】
本エアバッグ（１０）では、２層の織物層（１２、１２ａ及び１２ｂ）のうちのいずれか一方の織物層のみが離間領域（１４）を備えてもよく、両方の織物層が離間領域（１４）を備えてもよい。即ち、織物層（１２ａ）のみが離間領域（１４ａ）、即ち、周囲１５ａよりも通気度が高い織組織の領域を備えてもよい。また、織物層（１２ｂ）のみが離間領域（１４ｂ）、即ち、周囲（１５ｂ）よりも通気度が高い織組織の領域を備えてもよい。更には、織物層（１２ａ）が離間領域（１４ａ）を備え且つ織物層（１２ｂ）が離間領域（１４ｂ）を備えてもよい（図５参照）。
【００２８】
離間領域（１４）の大きさは特に限定されず、袋部（１１）の大きさ及び袋部（１１）からリークさせる気体量等に応じて適宜設定される。例えば、袋部（１１）の平面積全体（表裏の合計面積）を１００％とした場合に、離間領域（１４）の合計面積（表裏に存在する離間領域の合計面積）は５〜８０％とすることができる。この面積割合は、更には１０〜６０％であることが好ましく、１５〜４０％がより好ましい。
【００２９】
また、本エアバッグ（１０）が、気体を袋部（１１）へ流入させるための気体流入口（２０）を備える場合には、離間領域（１４）は気体流入口（２０）から離れた位置に設けられることが好ましい。即ち、袋部（１１）内で気体がたどる流路の下流側に位置されることが好ましい。離間領域（１４）が流路の下流側に位置されることで、膨張の前半では気体がリークされず、流入気体を袋部（１１）の膨張の目的のみに効率よく利用できる。このため、エアバッグ（１０）の展開・膨張の時間は、短く維持しながら衝撃緩衝前に気体をリークさせることができる。このため、袋部（１１）が最大に膨張した状態で衝撃緩衝されるのに比べて、より高い緩衝作用を得ることができる。
【００３０】
特に、本エアバッグ（１０）が、図９に例示されるように、ロール状に巻かれた状態で車両に設置される場合、その巻き始めに近い位置（２１）に離間領域（１４）が設けられることが好ましい。このような構成では、エアバッグ（１０）は、気体を流入させることができるように気体流入口（２０）から離れた位置から巻き始めることができる｛図９（ａ）参照｝。そして、膨張される際は、気体流入口（２０）から気体が流入されて、巻き終わりの部分（２２）が先に膨張し、徐々に巻き始めの部分（２１）へ向かって膨張が進行されるとともに、エアバッグ（１０）の展開が進む｛図９（ｂ）参照｝。そして、巻き始めに近い位置（２１）｛図９（ｃ）参照｝まで展開が進むと、気体が離隔領域（１４）に達し、離間領域（１４）から袋部（１１）外へとリークされて、内圧を逃がすことができる。このようにして、エアバッグ（１０）の展開速度を高く維持しながら、保護対象との衝突前にエアバッグ（１０）の最大膨張の状態よりも内圧を低下させた状態を得ることができる。即ち、展開速度を落とすことなく、より高い緩衝作用を得られる。
【００３１】
本エアバッグ（１０）が、ロール状に巻かれた状態で車両に設置される場合であって、その巻き始めに近い位置（２１）に離間領域（１４）を設ける場合、その離間領域（１４）の具体的な位置は特に限定されない。この場合、例えば、前述のように、閉部（１３）よりも離間領域（１４）は５ｍｍ以上離間されていることが好ましく、５〜２００ｍｍがより好ましく、５〜１００ｍｍが更に好ましい｛例えば、図３参照｝。更に、１つの離間領域（１４）（複数の離間領域が存在する場合には、その個々の離間領域）のうちで最も気体流入口（２０）から近い位置は３００ｍｍ以上の距離が維持されていることが好ましい。この距離は１００〜３００ｍｍが好ましく、２００〜３００ｍｍがより好ましい。
【００３２】
更に、本エアバッグ（１０）が、図１０に例示されるように、ジャバラ状に折り畳まれた状態で車両に設置される場合、気体流入口（２０）から離れた先端側（２４）｛即ち、図１０における端部層（１６）の側｝のヒダ（２３）に離隔領域（１４）が設けられることが好ましい｛図１０（ａ）参照｝。このような構成のエアバッグが膨張される際は、気体流入口（２０）から気体が流入されて、気体流入口（２０）に近い部分（２５）が先に膨張し、徐々に気体流入口（２０）から離れた先端側（２４）へ向かって膨張が進行されるとともに、エアバッグ（１０）の展開が進む｛図１０（ｂ）参照｝。即ち、気体流入口（２０）側のヒダ（２３）が先に膨張し、徐々に気体流入口から離れたヒダ（２３）が膨張するように展開が進む。そして、離間領域（１４）が形成されたヒダ（２３）が展開されると、離隔領域（１４）に達した気体は、この離間領域（１４）から外へとリークされ、内圧を逃がすことができる。このようにして、エアバッグ（１０）の展開速度を高く維持しながら、保護対象との衝突前にエアバッグ（１０）の最大膨張の状態よりも内圧を低下させた状態を得ることができる。即ち、展開速度を落とすことなく、より高い緩衝作用を得られる。
【００３３】
本エアバッグ（１０）が、ジャバラ状に折り畳まれた状態で車両に設置される場合であって、気体流入口（２０）から離れた先端側（２４）のヒダ（２３）に離隔領域（１４）を設ける場合、離間領域（１４）の具体的な位置は特に限定されない。例えば、閉部（１３）からの離間領域（１４）の離間距離、及び、１つの離間領域（１４）のうちで最も気体流入口（２０）から近い位置等については、前述のロール状に巻かれた状態で車両に設置されるエアバッグ（１０）と同様とすることができる。
【００３４】
更に、離間領域（１４）は、角のない曲線により形成されていることが好ましい。これにより離間領域（１４）への応力集中を緩和できる。即ち、袋部（１１）内の気体は、周囲より通気度が高く織られた離間領域（１４）から多くリークされるが、この際の応力集中を緩和でき、生地の破損を防止できる。
【００３５】
また、本エアバッグ（１０）を構成する２層の織物層（１２）は、別体の生地｛第１の織物層（１２ａ）及び第２の織物層（１２ｂ）｝を用いて形成することができる。別体の生地を用いたエアバッグとは、離間可能に配置された第１の織物層（１２ａ）及び第２の織物層（１２ｂ）によって形成された袋部（１１）と、その袋部（１１）の端縁を縫製又は接着等の方法によって閉じた閉部（１３）と、を有するエアバッグ（１０）が挙げられる（図５参照）。
また、本エアバッグ（１０）は、袋織によって製織され、袋部（１１）及び閉部（１３）に共通した経糸ＷＡ及び緯糸ＷＥを用いて一体に織られたエアバッグ（１０）とすることができる（図３及び図４参照）。
これらのうちでは、後者が好ましい。即ち、袋部（１１）と閉部（１３）とが一体に織られた袋織のエアバッグ（１０）（即ち、袋織エアバッグ）が好ましい。
【００３６】
また、閉部（１３）は、袋部（１１）の周囲を囲んで配置されている。そして、閉部（１３）は、袋部（１１）に流入された気体の漏出を抑制することができる。
閉部（１３）としては、図５に示すように、〈１〉第１の織物層（１２ａ）と、第２の織物層（１２ｂ）と、を閉部（１３）で縫合又は接着した態様が挙げられる。
また、図３に示すように、〈２〉第１の織物層（１２ａ）の構成糸（経糸及び／又は緯糸）と、第２の織物層（１２ｂ）の構成糸（経糸及び／又は緯糸）と、を一層の端部層（１６）として織り込んだ態様が挙げられる。
【００３７】
更に、図４に示すように、〈３〉第１の織物層（１２ａ）の構成糸（経糸及び／又は緯糸）と、第２の織物層（１２ｂ）の構成糸（経糸及び／又は緯糸）と、を上下に交差させて閉部（１３）を形成した態様が挙げられる。この態様では、更に、第２の織物層（１２ｂ）が反転された第１の延接層（１７ａ）を形成し、第１の織物層（１２ａ）が反転された第２の延接層（１７ｂ）を形成して、第１の延接層（１７ａ）と第２の延接層（１７ｂ）とが離間可能に織られた延接部（１７）を形成した態様とすることができる。
【００３８】
上記〈１〉−〈３〉の態様では、〈２〉及び〈３〉の態様が好ましく、更には、〈３〉の態様が特に好ましい。〈３〉の態様は、〈２〉の態様に比べて、閉部（１３）に緩衝作用を付与できる。即ち、袋部（１１）及び延接部（１７）の経糸が互いに交差された閉部（１３）では、この交差された経糸同士が経糸方向へずれることができる。そのため、閉部（１３）に加わる衝撃を緩和することができる。従って、〈２〉の態様に比べて、〈３〉の態様のエアバッグでは閉部（１３）の耐久性を向上させることができる。
【００３９】
閉部（１３）の平面形状は直線により形成（図８参照）されてもよいが、曲線により形成（図１１参照）することができる。曲線とすることにより、エアバッグ（１０）の設計の自由度を高めると共に、ガス圧を適度に分散できる。
また、延接部（１７）は、閉部（１３）を介して袋部（１１）と反対の側に配設された部分である。延接部（１７）は、第１の延接層（１７ａ）と第２の延接層（１７ｂ）とを備え、これらが互いに離間可能とされている。但し、延接部（１７）は袋部（１１）と同様に袋織りにされているが、袋部（１１）を膨張させるための気体の流入はなく、延接部（１７）は膨張されない部分である。前述の作用からこの延接部（１７）を備えることで、エアバッグ（１０）の閉部（１３）の耐久性を向上させることができる。
【００４０】
延接部（１７）を構成する第１の延接層（１７ａ）及び第２の延接層（１７ｂ）は、いずれもどのように製織されていてもよい。その組織としては、平織り、綾織り、朱子織り、及びこれらの組合せによる織組織などが適宜用いられるが、袋部（１１）の各層における粗織部と同様の組織を有することが好ましい。
即ち、延接部（１７）を備える場合、第１の延接層（１７ａ）は、第２の織物層（１２ｂ）における離間領域（１４）の周辺（１５）の組織が反転された組織（反転組織）であることが好ましい。また、第２の延接層（１７ｂ）（図６及び図７参照）は、第１の織物層（１２ａ）における離間領域（１４）の周辺（１５）の組織が反転された組織（反転組織）であることが好ましい。
このように、第１の織物層（１２ａ）を構成した構成糸が、第２の延設部（１７ｂ）を形成し、第２の織物層（１２ｂ）を構成した構成糸が、第１の延設部（１７ａ）を形成するように、互いに交差されることが好ましい。
【００４１】
延接部（１７）の大きさは特に限定されないが、例えば、図６及び図７に示すように、「ＤＡ」方向の糸を経糸ＷＡとし、「ＤＥ」方向の糸を緯糸ＷＥとし、第１の織物層（１２ａ）を形成する経糸を経糸ＷＡ１とし、第１の織物層（１２ａ）を形成する緯糸を緯糸ＷＥ１とする。この場合の第１の延接層（１７ｂ）の大きさは、緯糸ＷＥ１の本数において、通常、２本以上の大きさである。第１の延接層（１７ａ）の大きさは、緯糸ＷＥ１換算において２〜３０本が好ましく、３〜２０本がより好ましく、４〜１５本が更に好ましい。とりわけ４〜１５本においては、延接部（１７）を設けることによる閉部（１３）の耐久性を向上させる効果を十分に得ることができる。
【００４２】
同様に、第２の織物層（１２ｂ）を形成する経糸ＷＡ２とし、第２の織物層（１２ｂ）を形成する緯糸を緯糸ＷＥ２とする。この場合の第２の延接層（１７ｂ）の大きさは、緯糸ＷＥ２の本数において、通常、２本以上の大きさである。この第２の延接層（１７ｂ）の大きさは、緯糸ＷＥ２換算において２〜３０本が好ましく、３〜２０本がより好ましく、４〜１５本が更に好ましい。とりわけ４〜１５本においては、延接部（１７）を設けることによる閉部（１３）の耐久性を向上させる効果を十分に得ることができる。
【００４３】
本エアバッグ（１０）では、閉部（１３）に加えて、延接部（１７）の外周にも他の閉部（１８）（以下、単に「第２閉部」という）を設けることができる。第２閉部（１８）は、第１経糸ＷＡ１、第１緯糸ＷＥ１、第２経糸ＷＡ２、及び、第２緯糸ＷＥ２が、一層に織り込まれてなる織部である。この第２閉部（１８）は、どのように製織されていてもよい。その組織としては、平織り、綾織り、朱子織り、及びこれらの組合せによる織組織などを適宜用いることができる。特に本エアバッグでは、３／３組織を含めることが好ましい。
【００４４】
第２閉部（１８）の大きさは特に限定されない。例えば、図６及び図７に示すように、「ＤＡ」の方向の糸を経糸ＷＡとし、「ＤＥ」の方向の糸を緯糸ＷＥとする。この場合における第２閉部（１８）の大きさは、緯糸ＷＥの本数において、通常、２本以上の大きさである。この第２閉部（１８）の大きさは、緯糸ＷＥ換算において２〜３０本が好ましく、３〜２０本がより好ましく、４〜１５本が更に好ましい。
【００４５】
本エアバッグ（１０）に用いられる各糸は特に限定されず、マルチフィラメントを用いてもよく、モノフィラメントを用いてもよい。これらのうちでは、マルチフィラメントが好ましい。また、フィラメントを構成する材質も特に限定されないものの、通常、合成樹脂が用いられる。合成樹脂としては、ナイロン６、ナイロン６６等のポリアミド系樹脂、ポリエチレンテレフタレート、ポリブチレンテレフタレート、ポリトリメチレンテレフタレート等のポリエステル系樹脂、ポリアクリル系樹脂、ポリプロピレン等のポリオレフィン系樹脂などが挙げられる。なかでも、特にポリアミド系樹脂及びポリエステル系樹脂が好ましく、ポリアミド系樹脂がより好ましい。
【００４６】
各糸の繊度は限定されず、エアバッグの種類、及び平面形状、寸法等により、適宜設定できる。特に、繊度は２３５〜７００デシテックス、特に３５０〜４７０デシテックスが好ましく、なかでもマルチフィラメントが好ましい。マルチフィラメントにあっては、糸を構成するフィラメント数は３６〜２００本が好ましく、７２〜１４４本がより好ましい。更に、フィラメントの間隙を減ずるために、異形断面糸を用いることができる。その断面形状は限定されないが三角形及び六角形等を利用できる。
本エアバッグ（１０）では、樹脂でコーティングすることができる。コーティングに利用する樹脂の種類は特に限定されないが、気密性、浸透性、可撓性、耐火、耐熱等の観点からシリコーン樹脂が好ましい。
【００４７】
本エアバッグ（１０）は、各種のエアバッグとして利用できる。即ち、各種の乗り物において、乗員の周辺に収納されるとともに、車両等が衝突した際に、インフレータから供給される高圧ガスにより膨張し、展開して、乗員と車両等の構成部材との間隙に介在させて利用できる。例えば、カーテンシールドエアバッグ、運転席エアバッグ、助手席エアバッグ、サイドエアバッグ、ニーエアバッグ及びＩＴＳヘッド・エアバッグ等が挙げられる。これらのなかでも、本エアバッグ１０は、カーテンシールドエアバッグとして利用することが好ましい。
【実施例】
【００４８】
以下、実施例により本発明を具体的に説明する。
尚、以下では、図６及び図７において、ＤＡ方向に織り込まれた糸を経糸ＷＡとし、ＤＥの方向に織り込まれた糸を緯糸ＷＥとする。更に、第１の織物層１２ａを形成する経糸をＷＡ１とし、緯糸をＷＥ１とし、第２の織物層１２ｂを形成する経糸をＷＡ２とし、緯糸をＷＥ２とする。
【００４９】
（１）実施例１のエアバッグ
７２本のフィラメントにより構成される繊度４７０デシテックスのナイロン製のマルチフィラメントを使用し、図８に示す平面形状のカーテンシールドエアバッグ１０（実施例１）を得た。製品寸法は横方向が１８００ｍｍ、縦方向が４００ｍｍ（気体導入口２０等の凸状部は含まない）である。
【００５０】
この実施例１のエアバッグ１０について、その平面形状を図８に示し、図８におけるＡ−Ａ’の断面と対応する組織を図６に示した。
図６に示すように、袋部１１は、離間可能な第１の織物層１２ａと、第２織物層１２ｂと、から構成される（即ち、袋組織である）。また、第１の織物層１２ａの基本組織（即ち、離間領域１４の周囲１５）は１／１平織組織とされている。更に、閉部１３から緯糸ＷＥ１の本数で４４本分（約１４ｍｍ）、内側に面積６４５ｃｍ２の離間領域１４が２／２平織組織で形成されている。また、離間領域１４の平面形状は図８に示すように、略長方形状とされているが、その外周は、角のない曲線により形成されている。尚、第２の織物層１２ｂも、第１の織物層１２ａと対称となるように同じ構成とされている。
【００５１】
更に、第１の織物層１２ａと第２の織物層１２ｂとは、その袋部１１の端部で経糸ＷＡ及び緯糸ＷＥともに上下で交差されて閉部１３を成している。また、閉部１３おいて上下交差された第１の織物層１２ａの経糸ＷＡ１及び緯糸ＷＥ１によって、第２の延接層１７ｂが形成されている。同様に、閉部１３において上下交差された第２の織物層１２ｂの経糸ＷＡ２及び緯糸ＷＥ２によって、第１の延接層１７ａが形成されている。これらの第１の延接層１７ａと第２の延接層１７ｂとは離間可能に織られた袋組織であり、延接部１７を成している。延接部１７は、各々の緯糸ＷＥの本数で８本の組織である。
【００５２】
第２の延接層１７ｂを構成する経糸ＷＡ１及び緯糸ＷＥ１、第１の延接層１７ａを構成する経糸ＷＡ２及び緯糸ＷＥ２は、各々延接部１７の端部で一体化（一層化）させて、図６に示す第２閉部１８を形成している。第２閉部１８は、袋部１１に近い側から、緯糸４本分の２／２平織組織と、緯糸６本分以上の３／３平織組織と、から形成されている。
更に、本エアバッグの外表面は、その全面が塗布量３０ｇ／ｍ２となるようにシリコーン樹脂でコーティングされている。
【００５３】
（２）実施例１のエアバッグの作用
実施例１のエアバッグ１０は、図８に示すように、気体流入口２０から離れた側の端部層１６を、巻き始めの部分２１としてロール状に巻かれた状態で車両に設置することができる。
そして、気体流入口２０に接続されたインフレータ（図示されない）によって発生された気体は、気体流入口２０から袋部１１内へと流入され、袋部１１を膨張する。袋部１１の膨張に伴い、次第にロール状に巻かれたエアバッグ１０が展開される。即ち、巻き終わりの部分２２｛図９（（ｂ）｝が先に膨張されて、徐々に巻き始めの部分２１｛図９（（ｂ）｝へ向かって膨張が進行する。そして、巻き始めに近い位置２１｛図９（ｃ）｝まで展開が進むと、気体は離隔領域１４から袋部１１外へとリークされる。
【００５４】
（３）実施例１のエアバッグの効果
実施例１のエアバッグ１０によれば、短時間で膨張して展開するための気密性及び強度を維持しながら、通気度が高くなる織り組織とされている離隔領域１４から内圧を逃がすことができる。これにより、エアバッグが保護対象と衝突する際の衝撃を緩和できる。
【００５５】
また、実施例１のエアバッグ１０は、袋織によって製織され、袋部１１及び閉部１３が、共通する経糸及び緯糸を用いて一体に織られているために、２枚の生地を重ねて縫製したエアバッグに比べて折り畳んだ際の体積を小さくできる。また、部品点数を少なくできるからコスト的に有利である。
【００５６】
更に、実施例１のエアバッグ１０は、巻き始めに近い位置２１に通気度が高くされた離隔領域１４が設けられている。更に、このエアバッグ１０は、ロール状に巻回された状態で収容できる。そして、インフレータによって発生された気体が袋部１１に流入されると、巻き終わりの部分２２が先に膨張し、徐々に巻き始めの部分２１が膨張するように展開される。エアバック１では、巻き終わりの部分２２が膨張する展開の初期段階では、巻き始めに近い位置２１は、巻かれた未展開の状態となっている。従って、離隔領域１４も未展開の状態であるから気体が漏れ難く、初期段階の展開速度を保つことができる。そして、巻き始めに近い位置２１が展開される際には、離隔領域１４から内圧を逃がすことができる。このため、保護対象（例えば、乗員）とエアバッグとの衝突の際にはその衝撃をより効果的に緩和できる。また、離隔領域１４の外周が、角のない曲線により形成されているために、離間領域１４から気体がリークされる際に角部へ応力集中するおそれなく、耐久性に耐圧性に優れる。
【００５７】
また、実施例１のエアバッグ１０は、図４に示す態様の閉部１３を有し、更に、第２の織物層１２ｂが反転された第１の延接層１７ａと、第１の織物層１２ａが反転された第２の延接層１７ｂと、が離間可能に織られた延接部１７を有する。これにより、袋部１１が膨張する際に閉部１３に加わる衝撃を、袋部１１と延接部１７との間において緩和できる。従って、閉部１３の耐久性が向上される。また、閉部１３の平面形状が曲線であることにより、膨張の際のガス圧を分散して、高い耐圧性を発揮できる。
当然ながら、この実施例１における作用及び効果は、図１０に例示されるジャバラ状に折り畳まれた状態で収容されるエアバックでも同様に発揮されるものである。
【００５８】
（４）実施例２のエアバッグの作製
ポリアミド製の１０８本のフィラメントにより構成される繊度３５０デシテックスのマルチフィラメントを使用し、図１１に示す平面形状の試験用エアバッグ１０を得た。製品寸法は幅Ｗが３２０ｍｍ、長さＬが５００ｍｍである。
この実施例２のエアバッグ１０の平面形状を図１１に示し、図１１におけるＡ−Ａ’の断面と対応する組織を図６に示した。この図６に示す断面及び組織は、閉部１３から緯糸ＷＥ１の本数で６６本分（約２２ｍｍ）、内側に面積１５７ｃｍ２（表裏合計４箇所に独立して形成された離間領域の合計面積）の離間領域１４が２／２平織組織で形成されている。また、離間領域１４の平面形状は図１１に示すように、略円形状であり、その外周は角のない曲線により形成されている。これら以外の点においては、実施例１のエアバッグ１０と同様である。
【００５９】
（５）実施例３のエアバッグの作製
閉部１３から緯糸ＷＥ１の本数で６６本分（約２２ｍｍ）、内側に面積３５７ｃｍ２（表裏合計４箇所に独立して形成された離間領域の合計面積）の離間領域１４が２／２平織組織で形成されている。また、また、離間領域１４の平面形状は図１２に示すように、略楕円形状であり、その外周は角のない曲線により形成されている。これら以外の点においては、実施例２のエアバッグ１０と同様である実施例３のエアバッグ１０を得た。
【００６０】
（６）実施例４のエアバッグの作製
閉部１３から緯糸ＷＥ１の本数で６６本分（約２２ｍｍ）、内側に面積１５７ｃｍ２（表裏合計４箇所に独立して形成された離間領域の合計面積）の離間領域１４が３／３平織組織で形成されている。また、離間領域１４の平面形状は、また、離間領域１４の平面形状は図１１に示すように、略円形状であり、その外周は角のない曲線により形成されている。これら以外の点においては、実施例２のエアバッグ１０と同様である実施例４のエアバッグ１０を得た。
【００６１】
（７）実施例５のエアバッグの作製
閉部１３から緯糸ＷＥ１の本数で６６本分（約２２ｍｍ）、内側に面積３５７ｃｍ２（表裏合計４箇所に独立して形成された離間領域の合計面積）の離間領域１４が３／３平織組織で形成されている。また、また、離間領域１４の平面形状は図１２に示すように、略楕円形状であり、その外周は角のない曲線により形成されている。これら以外の点においては、実施例２のエアバッグ１０と同様である実施例５のエアバッグ１０を得た。
【００６２】
（８）比較例１のエアバッグの作製
離間領域１４を形成することなく、袋部１１の全面が１／１／組織で織られていること以外の点においては、実施例２のエアバッグ１０と同様である比較例１のエアバッグ１０を得た。
【００６３】
【表１】
2014113989.tif 000003
【００６４】
（９）実施例２−５と比較例１のエアバッグの比較
実施例２−５及び比較例１の各エアバッグ１０を用いて、内圧（ｋＰａ）とエアバッグ内からの気体のリーク量（Ｌ／分）を測定し、その結果を図１３に示した。
その結果、図１３に示すように、比較例１のエアバッグに対して、実施例２−５のエアバッグはいずれもリーク量を多く制御することができた。即ち、糸密度及び外表面の樹脂塗布量を変化させることなく、織組織のみによって気体のリーク量を精密に制御できることが分かる。とりわけ、内圧が低い範囲における内圧とリーク量との相関が、比較例１のエアバッグに対してよりリニアな相関とすることができることが分かる。
【００６５】
尚、この試験では、内圧を気体導入口２０に位置された圧力センサで測定した。また、リーク量をエアバッグの周囲に位置した温度センサから出力される等温線から測定した。即ち、気体リークが無い場合に対称形状である等温線が、気体リークによって非対称となるのを利用し、温度差をブリッジ回路で検出するとともに、質量流量計測値に変換した。
【００６６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【産業上の利用可能性】
【００６７】
本発明は、エアバッグの技術分野において広く利用される。特に、各種乗り物においてエアバッグとして利用可能であり、とりわけ、自動車用のカーテンシールドエアバッグとして好適に利用される。
【符号の説明】
【００６８】
１０；エアバッグ、カーテンシールドエアバッグ、
１１；袋部、
１２；２層の織物層、１２ａ；第１の織物層、１２ｂ；第２の織物層、
１３；閉部（第１閉部）、
１４；離間領域、
１５；離間領域の周囲、
１６；端部層、
１７；延接部、１７ａ；第１の延接層、１７ｂ；第２の延接層、
１８；他の閉部（第２閉部）、
２０；気体導入口、
ＷＡ１；第１経糸（第１織物層を構成する経糸）、
ＷＥ１；第１緯糸（第１織物層を構成する緯糸）、
ＷＡ２；第２経糸（第２織物層を構成する経糸）、
ＷＥ１；第１緯糸（第１織物層を構成する緯糸）。
【図１】
2014113989.tif 000004
【図２】
2014113989.tif 000005
【図３】
2014113989.tif 000006
【図４】
2014113989.tif 000007
【図５】
2014113989.tif 000008
【図６】
2014113989.tif 000009
【図７】
2014113989.tif 000010
【図８】
2014113989.tif 000011
【図９】
2014113989.tif 000012
【図１０】
2014113989.tif 000013
【図１１】
2014113989.tif 000014
【図１２】
2014113989.tif 000015
【図１３】
2014113989.tif 000016